(57)【要約】【課題】キーヘッドの穴の位置が相違する鍵に取り付けできるキーヘッドカバーとする。【解決手段】第１カバー体２０と第２カバー体３０を接合してキーヘッド収容部３ａを有するカバー本体３と、カバー本体３のキーヘッド収容部３ａに支持され、キーヘッド１１の穴１２に挿通する軸４を備え、前記キーヘッド収容部３ａを形成する第１キーヘッド収容部２１、第２キーヘッド収容部３１に弾性を有する軸支持部分２３，３３をそれぞれ有し、この軸支持部分２３，３３は、軸４の軸方向両端部が押しつけられて凹むことで軸４が軸方向と直交する方向に移動しないように支持し、軸支持部分２３，３３における鍵１のキーヘッド１１の穴１２の位置に応じた任意の位置に軸４を支持できることで、キーヘッド１１の穴１２の位置が相違する鍵１に取り付けできる。【選択図】図７
2015161136.tif 000002
【特許請求の範囲】
【請求項１】
鍵のキーヘッドを収容するカバー本体と、鍵のキーヘッドの穴に挿通する軸を備え、
前記カバー本体は、第１カバー体と第２カバー体を接合手段で接合し、第１カバー体の第１キーヘッド収容部と第２カバー体の第２キーヘッド収容部とで鍵のキーヘッドを、鍵のキーブレードが前記カバー本体から突出するように収容するキーヘッド収容部を形成し、
前記第１キーヘッド収容部と、前記第２キーヘッド収容部とに、それぞれ軸支持部分を対向して有し、
前記各軸支持部分は、前記軸の断面よりも大きく、弾性力で前記軸の軸方向両端部を軸方向と直交する方向に移動しないように支持するようにしたことを特徴とするキーヘッドカバー。
【請求項２】
前記第１キーヘッド収容部に弾性を有する第１シートを設けて軸支持部分とし、
前記第２キーヘッド収容部に弾性を有する第２シートを設けて軸支持部分とし、
前記第１カバー体と前記第２カバー体を接合することで、前記軸の軸方向一端部が前記第１シートを凹ませ、当該第１シートの弾性力で前記軸の軸方向一端部が軸方向と直交する方向に移動しないように支持し、前記軸の軸方向他端部が前記第２シートを凹ませ、当該第２シートの弾性力で前記軸の軸方向他端部が軸方向と直交する方向に移動しないように支持する請求項１記載のキーヘッドカバー。
【請求項３】
前記第１キーヘッド収容部に第１凹陥部を形成し、前記第１凹陥部に弾性を有する前記第１シートを設けて軸支持部分とし、
前記第２キーヘッド収容部に第２凹陥部を形成し、前記第２凹陥部に弾性を有する前記第２シートを設けて軸支持部分とした請求項２記載のキーヘッドカバー。
【請求項４】
前記第１キーヘッド収容部は、第１カバー体の接合部よりも凹み、その凹んだ第１キーヘッド収容部の一部分は切欠部で第１カバー体の周縁に開口し、
前記第２キーヘッド収容部は、第２カバー体の接合部よりも凹み、その凹んだ第２キーヘッド収容部の一部分は切欠部で第２カバー体の周縁に開口し、
前記第１キーヘッド収容部と前記第２キーヘッド収容部とで鍵のキーヘッドが収容されるキーヘッド収容部を形成し、前記第１キーヘッド収容部の切欠部と前記第２キーヘッド収容部の切欠部とで鍵のキーブレードが挿通する開口部を形成する請求項１又は２又は３記載のキーヘッドカバー。
【請求項５】
前記カバー本体は、長さ方向一側部にキーヘッド収容部を有し、
前記カバー本体を鍵のキーヘッドに取り付けた状態で、カバー本体は鍵に対して第１姿勢と第２姿勢とに渡って回転し、
カバー本体が鍵に対して第１姿勢であると、カバー本体の長さ方向が鍵の長さ方向に向かい、
カバー本体が鍵に対して第２姿勢であると、カバー本体の長さ方向が鍵の長さ方向と直交する方向に向かうようにした請求項１〜４いずれか１項記載のキーヘッドカバー。
【請求項６】
前記カバー本体の長手方向他側部に指掛け用の孔を有する請求項５記載のキーヘッドカバー。
【請求項７】
鍵のキーヘッドを収容するカバー本体と、鍵のキーヘッドの穴に挿通する軸を備え、
前記カバー本体は、第１カバー体と第２カバー体を接合手段で接合し、第１カバー体の第１キーヘッド収容部と第２カバー体の第２キーヘッド収容部とで鍵のキーヘッドを、鍵のキーブレードが前記カバー本体から突出するように収容するキーヘッド収容部を形成し、
前記軸は、軸方向両端部が弾性を有し、
前記第１キーヘッド収容部と、前記第２キーヘッド収容部とに、前記軸の断面よりも大きな軸支持部分を有し、
前記軸の軸方向一端部を前記第１キーヘッド収容部の軸支持部分に押しつけ、前記軸の軸方向他端部を前記第２キーヘッド収容部の軸支持部分に押しつけることで、弾性力で前記軸の軸方向両端部を軸方向と直交する方向に移動しないように支持するようにしたことを特徴とするキーヘッドカバー。
【請求項８】
鍵のキーヘッドに、請求項１〜７いずれか１項のキーヘッドカバーを取り付けた鍵。
【発明の詳細な説明】
【技術分野】
【０００１】
本発明は、錠前を操作する鍵のキーヘッドに取り付けるキーヘッドカバーに関するものである。
【背景技術】
【０００２】
錠前を操作する鍵としては、錠前の鍵穴に差し込まれるキーブレードと、鍵穴には入らず手の指でつまんでキーブレードを回転させるのに使うキーヘッドとから成るものが知られている。
鍵のキーヘッドに取り付けるキーヘッドカバーが特許文献１に開示されている。
このキーヘッドカバーは、係止軸を有した一方のカバー体と、一方のカバー体に接合される他方のカバー体とを備え、一方のカバー体に鍵のキーヘッドを、キーヘッドの穴が係止軸に嵌まるように載置し、他方のカバーを一方のカバー体に接合することで、一方のカバー体と他方のカバー体とでキーヘッドを挟むように取り付け、係止軸でキーヘッドが抜けないように保持するものである。
【先行技術文献】
【特許文献】
【０００３】
【特許文献１】特開平８−２８１０６号公報
【発明の概要】
【発明が解決しようとする課題】
【０００４】
前述した従来のキーヘッドカバーは、キーヘッドの穴を係止軸に嵌め、係止軸によりキーヘッドが抜けないように保持するので、一方のカバー体の係止軸の位置は、キーヘッドの穴の位置に合致した位置である。
一方、キーヘッドの穴の位置が相違する鍵が多数存在する。
このために、キーヘッドの穴の位置が相違する鍵にキーヘッドカバーを取り付けるには、鍵のキーヘッドの穴の位置の相違により、係止軸の位置を設定したキーヘッドカバーとしなければならず、係止軸の位置が相違する多数のキーヘッドカバーを製作しなければならない。
【０００５】
本発明は、前述の課題に鑑みなされたものであり、その目的は、キーヘッドの穴の位置が相違する鍵に取り付けできるようにしたキーヘッドカバーとすることである。
【課題を解決するための手段】
【０００６】
本発明は、鍵のキーヘッドを収容するカバー本体と、鍵のキーヘッドの穴に挿通する軸を備え、
前記カバー本体は、第１カバー体と第２カバー体を接合手段で接合し、第１カバー体の第１キーヘッド収容部と第２カバー体の第２キーヘッド収容部とで鍵のキーヘッドを、鍵のキーブレードが前記カバー本体から突出するように収容するキーヘッド収容部を形成し、
前記第１キーヘッド収容部と、前記第２キーヘッド収容部とに、それぞれ軸支持部分を対向して有し、
前記各軸支持部分は、前記軸の断面よりも大きく、弾性力で前記軸の軸方向両端部を軸方向と直交する方向に移動しないように支持するようにしたことを特徴とするキーヘッドカバーである。
【０００７】
本発明のキーヘッドカバーは、前記第１キーヘッド収容部に弾性を有する第１シートを設けて軸支持部分とし、
前記第２キーヘッド収容部に弾性を有する第２シートを設けて軸支持部分とし、
前記第１カバー体と前記第２カバー体を接合することで、前記軸の軸方向一端部が前記第１シートを凹ませ、当該第１シートの弾性力で前記軸の軸方向一端部が軸方向と直交する方向に移動しないように支持し、前記軸の軸方向他端部が前記第２シートを凹ませ、当該第２シートの弾性力で前記軸の軸方向他端部が軸方向と直交する方向に移動しないように支持するようにできる。
このようにすれば、カバー体のキーヘッド収容部にシートを設けることで軸支持部分とすることができる。
【０００８】
本発明のキーヘッドカバーは、前記第１キーヘッド収容部に第１凹陥部を形成し、前記第１凹陥部に弾性を有する前記第１シートを設けて軸支持部分とし、
前記第２キーヘッド収容部に第２凹陥部を形成し、前記第２凹陥部に弾性を有する前記第２シートを設けて軸支持部分とすることができる。
【０００９】
本発明のキーヘッドカバーは、前記第１キーヘッド収容部は、第１カバー体の接合部よりも凹み、その凹んだ第１キーヘッド収容部の一部分は切欠部で第１カバー体の周縁に開口し、
前記第２キーヘッド収容部は、第２カバー体の接合部よりも凹み、その凹んだ第２キーヘッド収容部の一部分は切欠部で第２カバー体の周縁に開口し、
前記第１キーヘッド収容部と前記第２キーヘッド収容部とで鍵のキーヘッドが収容されるキーヘッド収容部を形成し、前記第１キーヘッド収容部の切欠部と前記第２キーヘッド収容部の切欠部とで鍵のキーブレードが挿通する開口部を形成することができる。
このようにすれば、カバー体のキーヘッド収容部に収容した鍵のキーヘッドが前記カバー本体から見えないので、見栄えが良い。
【００１０】
本発明のキーヘッドカバーは、前記カバー本体は、長さ方向一側部にキーヘッド収容部を有し、
前記カバー本体を鍵のキーヘッドに取り付けた状態で、カバー本体は鍵に対して第１姿勢と第２姿勢とに渡って回転し、
カバー本体が鍵に対して第１姿勢であると、カバー本体の長さ方向が鍵の長さ方向に向かい、
カバー本体が鍵に対して第２姿勢であると、カバー本体の長さ方向が鍵の長さ方向と直交する方向に向かうようにできる。
このようにすれば、カバー本体を第２姿勢とすることで、第１姿勢よりも小さな力で鍵を回転できる。
【００１１】
本発明のキーヘッドカバーは、前記カバー本体の長手方向他側部に指掛け用の孔を有するものにできる。
このようにすれば、孔に指を掛けてカバー本体を回転できるから、回転し易い。
【００１２】
本発明は、鍵のキーヘッドを収容するカバー本体と、鍵のキーヘッドの穴に挿通する軸を備え、
前記カバー本体は、第１カバー体と第２カバー体を接合手段で接合し、第１カバー体の第１キーヘッド収容部と第２カバー体の第２キーヘッド収容部とで鍵のキーヘッドを、鍵のキーブレードが前記カバー本体から突出するように収容するキーヘッド収容部を形成し、
前記軸は、軸方向両端部が弾性を有し、
前記第１キーヘッド収容部と、前記第２キーヘッド収容部とに、前記軸の断面よりも大きな軸支持部分を有し、
前記軸の軸方向一端部を前記第１キーヘッド収容部の軸支持部分に押しつけ、前記軸の軸方向他端部を前記第２キーヘッド収容部の軸支持部分に押しつけることで、弾性力で前記軸の軸方向両端部を軸方向と直交する方向に移動しないように支持するようにしたことを特徴とするキーヘッドカバーとすることができる。
【００１３】
本発明は、鍵のキーヘッドに、請求項１〜７いずれか１項のキーヘッドカバーを取り付けた鍵とすることができる。
【発明の効果】
【００１４】
本発明によれば、カバー本体の軸支持部分における任意の位置に軸を支持できるから、キーヘッドの穴の位置が相違する鍵に応じて軸の支持位置を変更することで、キーヘッドカバーを鍵のキーヘッドに取り付けできる。
しかも、軸にキーヘッドの穴が挿通するように取り付けるので、カバー本体から鍵が抜けることがない。
【図面の簡単な説明】
【００１５】
【図１】鍵と分解した状態のキーヘッドカバーの斜視図である。
【図２】組み立てたキーヘッドカバーの正面図である。
【図３】組み立てたキーヘッドカバーの一側から見た側面図である。
【図４】組み立てたキーヘッドカバーの他側から見た側面図である。
【図５】組み立てたキーヘッドカバーの下から見た底面図である。
【図６】鍵にキーヘッドカバーを取り付けた状態の正面図である。
【図７】図６のＡ−Ａ断面図である。
【図８】第２の実施形態を示す鍵にキーヘッドカバーを取り付けた状態の断面図である。
【発明を実施するための形態】
【００１６】
図１は鍵と分解したキーヘッドカバーの斜視図である。図１に示すように、鍵１は、図示しない錠前の鍵穴に差し込まれるキーブレード１０と、キーブレード１０の長さ方向端部に設けられ、前記鍵穴には入らず手の指でつまんでキーブレード１０を回転させるのに使用するキーヘッド１１とから成る。
キーヘッド１１は、一方の表面１１ａと他方の表面１１ｂとに貫通した穴１２を有する。鍵１の種類などでキーヘッド１１の穴１２の位置は相違する。例えば、図１に実線で示すようにキーヘッド１１の周縁におけるキーブレード１０と反対側寄りの位置に穴１２を有した鍵や、図１に仮想線で示すようにキーヘッド１１の中央付近の位置に穴１２を有する鍵が存在する場合がある。
【００１７】
図１に示す鍵は、キーブレード１０が細長い板状で、キーヘッド１１は円形板状である。キーヘッド１１の穴１２は円形である。
鍵の形状は前述のものに限ることはない。例えば、錠前の鍵穴に差し込まれるキーブレード１０が円柱形状で突部を有する鍵、キーヘッド１１が矩形板状の鍵等が存在する。
キーヘッド１１の穴１２は円形に限ることはない。例えば、矩形状の穴や長円形の穴を有するキーヘッドが存在する。
キーヘッド１１の穴１２の大きさは、一定ではなく鍵の種類や大きさなどによって異なる大きさの穴を有するキーヘッドが存在する。
キーヘッドカバー２は、カバー本体３と、軸４を有する。
カバー本体３は、第１カバー体２０と、第１カバー体２０に接合する第２カバー体３０から成る。
軸４は、第１カバー体２０と第２カバー体３０とで支持し、鍵１のキーヘッド１１の穴１２に挿通する。
【００１８】
第１カバー体２０は、鍵１のキーヘッド１１の大きさよりも大きな板状である。第１カバー体２０の第２カバー体３０が接合される接合側面２０ａに鍵１のキーヘッド１１を収容するための第１キーヘッド収容部２１と、第２カバー体３０と接合するための接合部２２を有する。
第１キーヘッド収容部２１は、鍵１のキーヘッド１１を、その一方の面１１ａが対向、好ましくは接するように設けるもので、第１キーヘッド収容部２１に鍵１のキーヘッド１１を設けた状態で、鍵１のキーブレード１０は第１カバー体２０の周縁部から外方に突出する。
【００１９】
第１キーヘッド収容部２１は軸支持部分２３を有する。好ましくは、第１キーヘッド収容部２１の中央付近に軸支持部分２３を有する。
軸支持部分２３は第１カバー体２０よりも弾性変形し易い材質で、軸支持部分２３は、軸４の軸方向一端部４ａを押しつけることで弾性的に凹み、その弾性力で軸４の軸方向一端部４ａを軸方向と直交する方向に移動しないように支持する。
軸支持部分２３は軸４の断面よりも大きく、軸支持部分２３の領域内の任意の位置において軸４の軸方向一端部４ａを軸方向と直交する方向に移動しないように支持することができる。
【００２０】
第２カバー体３０は第１カバー体２０と同じ大きさで、第２カバー体３０の第１カバー体２０が接合される接合側面３０ａに、第１カバー体２０と同様の第２キーヘッド収容部３１と、第１カバー体２０と接合するための接合部３２を有する。
第２カバー体３０の第２キーヘッド収容部３１には鍵１のキーヘッド１１の他方の面１１ｂが対向、好ましくは接するように設ける。
第２キーヘッド収容部３１は軸支持部分３３を有する。
軸支持部分３３は、第１カバー体２０の軸支持部分２３と同様に、軸４の軸方向他端部４ｂを軸方向と直交する方向に移動しないように支持する。
つまり、第１カバー体２０の接合側面２０ａと第２カバー体３０の接合側面３０ａは対称形状である。
【００２１】
図２〜図５に示すように、第１カバー体２０の接合部２２と第２カバー体３０の接合部３２を接合手段で接合することで、第１カバー体２０と第２カバー体３０でカバー本体３を形成する。
第１カバー体２０の第１キーヘッド収容部２１と第２カバー体３０の第２キーヘッド収容部３１とが対向し、第１キーヘッド収容部２１と第２キーヘッド収容部３１とでキーヘッド収容部３ａを形成する。
第１カバー体２０の軸支持部分２３と第２カバー体３０の軸支持部分３３とが対向し、軸支持部分２３と軸支持部分３３とで軸４の軸方向両端部を軸方向と直交する方向に動かないように支持する。
【００２２】
キーヘッドカバー２は鍵１のキーヘッド１１に次のようにして取り付ける。
第１カバー体２０の第１キーヘッド収容部２１に鍵１のキーヘッド１１の一方の面１１ａを接し、キーヘッド１１の穴１２に軸４を挿入し、軸４の軸方向一端部４ａを軸支持部分２３に接する。
第２カバー体３０を第１カバー体２０に重ね合せ、第２カバー体３０の第２キーヘッド収容部３１を鍵１のキーヘッド１１の他方の面１１ｂに接すると共に、軸支持部分３３を軸４の軸方向他端部４ｂに接する。
第１カバー体２０の接合部２２と第２カバー体３０の接合部３２を接合手段で接合し、第１カバー体２０と第２カバー体３０を接合してカバー本体３とすることで、図６に示すようにキーヘッドカバー２（カバー本体３）を鍵１のキーヘッド１１に取り付ける。鍵１のキーブレード１０はキーヘッドカバー２（カバー本体３）から外部に突出する。
【００２３】
キーヘッドカバー２を鍵１のキーヘッド１１に取り付けることで、図７に示すように軸４の軸方向一端部４ａが第１カバー体２０の軸支持部分２３で軸方向と直交する方向に移動しないように支持され、軸４の軸方向他端部４ｂが第２カバー体３０の軸支持部分３３で軸方向と直交する方向に移動しないように支持される。
これにより、軸４は軸方向と直交する方向に移動しないので、鍵１は軸４でキーヘッドカバー２（カバー本体３）から抜けないように支持することができる。
【００２４】
軸４は、第１カバー体２０の軸支持部分２３の任意の位置と第２カバー３０の軸支持部分３３の任意の位置とで支持することができるので、鍵１のキーヘッド１１の穴１２の位置に応じた位置で軸４を支持できる。例えば、図１に仮想線で示す位置の穴１２の鍵１の場合には、軸４を図６に仮想線で示す位置で支持できる。
このようであるから、キーヘッド１１の穴１２の位置が相違する鍵１に同一のキーヘッドカバー２を取り付けできる。
【００２５】
次に、キーヘッドカバー２の具体形状を説明する。
第１カバー体２０はほぼ長方形の板状で、接合側面２０ａの長さ方向一端寄りに凹部２４を有し、この凹部２４を第１キーヘッド収容部２１としてある。
第１カバー体２０の長さ方向他端寄に指掛け用の孔２５が形成してある。
孔２５は第１カバー体２０の接合側面２０ａと表面側面２０ｂとに貫通している。
第１カバー体２０の凹部２４の中央付近に第１凹陥部２６を有し、第１凹陥部２６に弾性材より成る第１シート、例えばゴムシート２７を取り付けて軸支持部分２３としてある。
【００２６】
第１カバー体２０の凹部２４は、長さ方向一側において切欠部２８で第１カバー体２０の周縁２０ｃに開口している。切欠部２８の一方の端部２８ａと他方の端部２８ｂとの間から鍵１のキーブレード１０が第１カバー体２０の周縁２０ｃよりも外方に突出するようにしてある。
【００２７】
第１カバー体２０の接合側面２０ａにおける凹部２４、及び孔２５以外の部分の面が接合部２２で、接合側部２２は大きな面積を有する平坦面である。
【００２８】
第２カバー体３０は第１カバー体２０と同一長さのほぼ長方形の板状で、第１カバー体２０と同様に、接合側面３０ａの長さ方向一側寄りに凹部３４を有し、凹部３４を第２キーヘッド収容部３１としてある。
第２カバー体３０の長さ方向他側寄りに指掛け用の孔３５が形成してある。この孔３５は第２カバー体３０の接合側面３０ａと表面側面３０ｂとに貫通している。
第２カバー体３０の凹部３４に第１カバー体２０と同様に、第２凹陥部３６を有し、第２凹陥部３６に弾性材より成る第２シート、例えばゴムシート３７を取り付けて軸支持部分３３としている。
【００２９】
第２カバー体３０の凹部３４は第１カバー体２０の凹部２４と同様に、長さ方向一側において切欠部３８で第２カバー体３０の周縁３０ｃに開口している。切欠部３８の一方の端部３８ａと他方の端部３８ｂとの間から鍵１のキーブレード１０が第２カバー体３０の周縁３０ｃよりも外方に突出するようにしてある。
【００３０】
第２カバー体３０の接合側面３０ａにおける凹部３４及び孔３５以外の部分の面が接合部３２で、接合部３２は大きな面積を有する平坦面である。
【００３１】
第１カバー体２０の接合部２２と第２カバー体３０の接合部３２を接着剤で接着して第１カバー体２０と第２カバー体３０を接合してカバー本体３としている。つまり、接着剤が接合手段である。
これにより、カバー本体３の長さ方向一側部に第１カバー体２０の凹部２４と第２カバー体３０の凹部３４で形成されるキーヘッド収容部３ａを有し、カバー本体３の長さ方向他側部に指掛け用の孔２５，３５を有する。
カバー本体３のキーヘッド収容部３ａは閉塞され、そのキーヘッド収容部３ａの長さ方向一側部が、第１カバー体２０の切欠部２８と第２カバー体３０の切欠部３８とで形成される開口部３ｂでカバー本体３の外部に開口する。
【００３２】
図６と図７に示すように、鍵１のキーヘッド１１にキーヘッドカバー２を取り付けた状態で、鍵１のキーブレード１０がキーヘッドカバー２（カバー本体３）の開口部３ｂから外方に突出する。
鍵１のキーヘッド１１の一方の表面１１ａが第１カバー体２０の凹部２４（第１キーヘッド収容部２１）に接し、キーヘッド１１の他方の表面１１ｂが第２カバー体３０の凹部３４（第２キーヘッド収容部３１）に接する。
これにより、鍵１のキーヘッド１１はキーヘッドカバー２で覆われ、外部から見えることがない。
【００３３】
図６に示すように、鍵１のキーヘッド１１にキーヘッドカバー２を取り付けた状態で、カバー本体３は鍵１に対して、軸４とキーヘッド１１の穴１２とで、図６に実線で示す第１姿勢と図６に仮想線で示す第２姿勢とに渡って回転する。
【００３４】
鍵１に対してカバー本体３が第２姿勢であると、カバー本体３の長さ方向は鍵１の長さ方向と直交する方向に向かう。
これにより、キーヘッドカバー２を小さな力で回転することにより、鍵１の回転力を大きくできる。
【００３５】
図１に示すように、第１カバー体２０の凹部２４における開口部２８寄りには第１突起２９ａと第２突起２９ｂが設けてある。
カバー本体３を第２姿勢から第１姿勢に向けて回転し、カバー本体３が第１姿勢に回転すると、図６に示すように第１突起２９ａが鍵１のキーブレード１０に当接し、カバー本体３を回転している人がクリック感を覚えるから、カバー本体３が鍵１に対して第１姿勢に回転したことを感覚的に知ることができる。
カバー本体３を第１姿勢から第２姿勢に向けて回転し、カバー本体３が第２姿勢に回転すると、図６に示すように第２突起２９ｂが鍵１のキーブレード１０に当接し、カバー本体３を回転している人がクリック感を覚えるから、カバー本体３が鍵１に対して第２姿勢に回転したことを感覚的に知ることができる。
【００３６】
第１カバー体２０の孔２５及び第２カバー体３０の孔３５は人の指が挿入可能な大きさで、カバー本体３は指を挿入し、指を掛けることができる孔２５，３５を有する。
これにより、孔２５，３５に指を掛けてカバー本体３を回転することができるから、握力のない身障者の人でもカバー本体３で鍵１を回転させ易い。
【００３７】
前述の実施の形態では、接合手段を接着剤としたが、これに限ることはない。
例えば、一方の接合部にねじ挿通孔を形成し、他方の接合部にねじ穴を形成する。ねじ挿通孔からねじを挿入し、ねじをねじ穴に螺合して一方の接合部と他方の接合部を締め付けて接合することで、接合手段とする。
また、一方の接合部に係合突部を設け、他方の接合部に係合凹部を設ける。係合突部と係合凹部を係合して一方の接合部と他方の接合部を接合することで、接合手段とする。
【００３８】
実施の形態では、第１カバー体２０、第２カバー体３０の接合側面２０ａ，３０ａに凹部２４，３４を形成して第１キーヘッド収容部２１、第２キーヘッド収容部３１とし、接合側面２０ａ，３０ａを接合部２２，３２としたが、接合側面２０ａ，３０ａの一部分を第１キーヘッド収容部２１、第２キーヘッド収容部３１とし、接合側面２０ａ，３０ａの周縁に突片を設け、その突片を接合部２２，３２とすることができる。
【００３９】
実施の形態では、第１カバー体２０、第２カバー体３０の第１キーヘッド収容部２１、第２キーヘッド収容部３１に第１凹陥部２６、第２凹陥部３６を形成し、第１凹陥部２６、第２凹陥部３６に弾性を有する第１及び第２シート（ゴムシート２７，３７）を設けて軸支持部分２３，３３としたが、第１キーヘッド収容部２１、第２キーヘッド収容部３１に弾性を有する第１及び第２シート（ゴムシート２７，３７）を設けて軸支持部分２３，３３とすることができる。
【００４０】
また、第１カバー体２０、第２カバー体３０の第１キーヘッド収容部２１、第２キーヘッド収容部３１に円環状の突起部を設け、その突起部の内側の領域を軸支持部分２３，３３とすることができる。
この場合には、突起部の内側の領域に弾性を有する第１及び第２シート（ゴムシート２７，３７）を設けて弾性を有する軸支持部分２３，３３とする。
【００４１】
また、第１カバー体２０、第２カバー体３０を硬質樹脂とし、その第１キーヘッド収容部２１、第２キーヘッド収容部３１の一部分を軟質樹脂として射出成形することで、軟質樹脂で成形した部分を弾性を有する軸支持部分２３，３３とすることができる。
【００４２】
第１カバー体２０の軸支持部分３２と第２カバー体３０の軸支持部分３３を同じとすることに限ることはなく、第１カバー体２０の軸支持部分２３と第２カバー体３０の軸支持部分３３を異なるものとしても良い。
例えば、第１カバー体２０の軸支持部分２３を第１凹陥部２６にゴムシート２７を設けたものとし、第２カバー体３０の軸支持部分３３を接合面３０ａの一部分にゴムシート３７を設けたものとする。
【００４３】
また、実施形態では、第１カバー体２０、第２カバー体３０の第１キーヘッド収容部２１、第２キーヘッド収容部３１に第１凹陥部２６、第２凹陥部３６を形成し、第１凹陥部２６、第２凹陥部３６に弾性を有する第１及び第２シート（ゴムシート２７，３７）を設けて軸支持部分２３，３３としたが、軸支持部分２３，３３は弾性を有しないものとし、軸４を弾性を有するものとすることができる。
例えば、図８に示すように、軸４の軸方向一端部４ａ及び軸方向他端部４ｂに弾性を有する第１及び第２シート（ゴムシート２７，３７）を設ける。
軸４の軸方向一端部４ａを第１カバー体２０の軸支持部分２３に押しつけ、軸方向他端部４ｂを第２カバー体３０の軸支持部分３３に押しつける。これにより、軸４の軸方向両端部を各軸支持部分２３，３３で弾性力により軸方向と直交する方向に移動しないように支持する。
【００４４】
軸４は断面円形に限ることはなく、断面多角形や矩形などとすることができる。
また、径の異なる複数の軸４を準備し、鍵１のキーヘッド１１の穴１２の径が大きく異なる場合には、その穴１２の径に応じた径の軸４を使用するようにすることができる。
【符号の説明】
【００４５】
１…鍵、２…キーヘッドカバー、３…カバー本体、３ａ…キーヘッド収容部、３ｂ…開口部、４…軸、４ａ…軸方向一端部、４ｂ…軸方向他端部、１０…キーブレード、１１…キーヘッド、１１ａ…一方の表面、１１ｂ…他方の表面、１２…穴、２０…第１カバー体、２０ａ…接合側面、２０ｂ…外側面、２０ｃ…周縁、２１…第１キーヘッド収容部、２２…接合部、２３…軸支持部分、２４…凹部、２５…指掛け用の孔、２６…第１凹陥部、２７…ゴムシート（弾性を有する第１シート）、２８…切欠部、３０…第２カバー体、３０ａ…接合側面、３０ｂ…外側面、３０ｃ…周縁、３１…第２キーヘッド収容部、３２…接合部、３３…軸支持部分、３４…凹部、３５…指掛け用の孔、３６…第２凹陥部、３７…ゴムシート（弾性を有する第２シート）、３８…切欠部。
【図１】
2015161136.tif 000003
【図２】
2015161136.tif 000004
【図３】
2015161136.tif 000005
【図４】
2015161136.tif 000006
【図５】
2015161136.tif 000007
【図６】
2015161136.tif 000008
【図７】
2015161136.tif 000009
【図８】
2015161136.tif 000010